(57)【要約】【課題】カタログやパンフレット、名刺などの各種通知に対してこれを見る側に大きな注意を引かせることのできる工夫をして、なおかつコンパクトに形成し、取り扱い易く、携帯し易くして、カタログやパンフレット、名刺などの各種通知に掲載されている情報をより確実に伝えるようにする。【解決手段】台形の印刷用紙に４本ずつの山折り線及び谷折り線と、１箇所の接着箇所とを設け、組み立てることにより３種類の六角形の印刷面が循環して表出する印刷書面を構成した。これにより、開動作の度に展開表示する印刷面の表示状態を全て切り替えることができる。【選択図】図１
0003167609.tif 000002
【実用新案登録請求の範囲】
【請求項１】
９個の正三角形表示片を上向下向交互に配列して印刷した台形帯状紙片を、正三角形に折り重ねた際に上下端の斜辺同士を接続させた折り畳み印刷書面。
【請求項２】
正三角形表示片同士の接続を維持しながら、一部を切り欠いたことを特徴とする第１項記載事項の折り畳み印刷書面。
【考案の詳細な説明】
【技術分野】
【０００１】
本考案は、名刺、パンフレット、宣伝媒体等に使用し得る、開動作の度に書面の外形状が変化せず、かつ正面を構成する印刷面の表示状態が全て切り替わる、３種類の印刷面が循環して表出する印刷書面に関する。
【背景技術】
【０００２】
一般的なカード及び名刺は、縦方向長さ９１mm、横方向長さ５５mm程度の大きさの長方形(矩形)のカードの表面（及び裏面の両面を使用する場合もある）に会社名、役職、氏名、住所、電話番号等の情報を印刷したものである。最近ではこれらの情報に加えて、会社のロゴ、シンボルマーク、キャッチフレーズ、取扱商品、本人の似顔絵や写真などのあらゆる情報を縦方向長さ９１mm、横方向長さ５５mmを横方向などに多面付けしたものを折り畳み、カードの形状にして情報量を増やし、相手に手渡したときの自己の印象を強烈にアピールしようとする試みが行われている。その一例として、実用新案文献１に記載のようなものが知られている。
【特許文献１】実用新案登録第３１１６６０２号公報
【考案の概要】
【考案が解決しようとする課題】
【０００３】
実用新案文献１に記載されたものは、５面折り名刺を作ることにより各種イベント用の名刺、名刺以外の部分を商品広告やカタログに使用することで、その利用範囲を拡大するものである。従来の名刺の５枚分の用紙に５５ミリ間隔で均等に折り目を入れ、５倍の情報量を相手に伝えることができる広告宣伝媒体としての高い機能を実現しようとしている。
【０００４】
実用新案文献１に記載された５面折り名刺サイズの結婚式用席札及びPR用カード用紙は、従来の名刺及びカードの５枚分の情報量を相手に伝えることができるが、形状の面白みに欠け、強烈な印象を与えることができない。従来から新しい商品などを数多くの顧客や一般消費者向けに紹介する場合、その新商品の性能、使用用途、宣伝文、写真、図柄などを一枚の用紙に掲載し、これを新商品に係る説明会や紹介カウンタなどでカタログやパンフレットやカード及び名刺として配付することが行われている。また、同様に、各種のイベントへの案内を顧客や一般消費者に対して行う場合も、一枚の用紙からなるパンフレットやカード、案内状及び名刺などを用意してこれを配付するようにしている。このように、カタログやパンフレットやカード、各種案内状及び名刺などでは、顧客や一般消費者の注意を引かせるようにするために、上記案内文や宣伝文を構成する文字種、書体などに変化を付け、さらに図柄などは多色刷りとすることが一般的に行われている。しかしながら、カタログやパンフレットやカード、各種案内状及び名刺ではこのような文字種の変化付けや図柄の多色刷りなどの工夫が従来から行われているため、現状では顧客や一般消費者側に注意を引かせるほどのものとはなっておらず、情報量は多いが内容を確認しないまま破棄されるケースが多いという問題があった。そこで本考案は上記した事情に鑑み、カタログやパンフレットやカード、案内状及び名刺などに対してこれらを見る側に大きな注意を引かせることのできる工夫を設けることを課題とし、カタログやパンフレットやカード、案内状及び名刺などに掲載されている情報をより確実に伝えるようにすることを目的とする。
【課題を解決するための手段】
【０００５】
本考案は上記した課題を考慮してなされたもので、台形からなるシートの折り筋の山折りと谷折りを相互に変換するという折り畳みの特性を利用し、１箇所の接着箇所を設け、展開形状を維持しながら、また、開動作の度に正面を構成する印刷面の表示状態を全て切り替えることにより、上記課題を解消するものである。
【考案の効果】
【０００６】
この考案によれば、所定の折り曲げ線によって構成される台形状の用紙に所望の印刷を施すとともに、該折り曲げ線にて折り畳み、所定の箇所を接着することにより組み立てられる印刷書面であって、開動作の度に書面の外形状が変化せず、かつ正面を構成する印刷面が全て切り替わることを特徴とした、３種類の印刷面が循環して表出する印刷書面を用い、これを受け取った側に強烈な印象を与え、広告宣伝媒体としての高い機能を実現することができるという効果がある。
【図面の簡単な説明】
【０００７】
【図１】本考案の第１の実施例の全体構成の折り畳み前の表面・裏面を示す図である。
【図２】本考案の第１の実施例の折り畳み形状を示す図である。
【図３】本考案の第１の実施例の展開時の全体構成を示す図である。
【図４】本考案の第１の実施の形態に係る名刺寸法に折り畳んだ状態を示す図である。
【図５】本考案の第２の実施例の全体構成の折り畳み前を示す図である。
【図６】本考案の第２の実施例の展開時の全体構成を示す図である。
【図７】本考案の第２の実施の形態に係る名刺寸法に折り畳んだ状態を示す図である。
【図８】本考案の第３の実施例の展開時の全体構成を示す図である。
【図９】本考案の第３の実施の形態に係る名刺寸法に折り畳んだ状態を示す図である。
【図１０】本考案の第４の実施例の全体構成の折り畳み前を示す図である。
【図１１】本考案の第４の実施例の展開時の全体構成を示す図である。
【図１２】本考案の第４の実施例の展開時を切り替えたときの全体構成を示す図である。
【考案を実施するための形態】
【０００８】
以下添付図面に従って本考案に係るカタログやパンフレットやカード、案内状及び名刺の好ましい実施の形態について説明する。図１は、本考案の実施の形態に係るカタログやパンフレットやカード、案内状の展開構成（表・裏）を示す図である。
【０００９】
図２は、本考案の展開構成から、９個の正三角形表示片を上向下向交互に配列して印刷した台形帯状紙片を糊付けし易いよう一折れ分戻して、正三角形に折り重ねた際に上下端の斜辺同士を接続させる際の組立を示す図である。
【００１０】
図３は本考案の第１の実施の完成図であり、正面を構成する印刷面の表示状態が全て切り替わり、３面の印刷面が循環して表出される印刷書面の表面を表示した際の表面と、対応する裏面を示す図である。
【００１１】
Aでは、１、６、７、１０、１５、１６が隠れる。Bでは、２、３、８、９、１３、１４が隠れる。Cでは、４、５、１１、１２、１７、１８が隠れる。結果として、隠れる面はA、B、Cの組み合わせでそれぞれ全て異なるが、2種類の組み合わせで一応全部印刷面が表示できる。
【００１２】
図４は本考案の第１の実施の完成図であり、第１の実施の形態をさらに３分割に折り畳み、ひし形にすることにより、縦方向長さ約９１mm、横方向長さ約５５mm程度の名刺の大きさになることを示す。
【００１３】
図５、６は各要素を正六角形になるよう切り欠いた例を示す。これにより、蜂の巣状に表示ができる。また、図７はこの場合の名刺サイズに折り畳んだ状態を示す。
【００１４】
図８、９は各要素を丸みを帯びて切り欠いた状態を示す。これにより女性的な優しい表現をすることができる。
【００１５】
図１０、図１１、図１２は各要素の一辺のみを切り欠いた例を示す。これにより展開状態に応じて雪の結晶のようになったり、蓮根断面状になり、他の演出が発揮できることを示している。
【図１】
0003167609.tif 000003
【図７】
0003167609.tif 000004
【図８】
0003167609.tif 000005
【図９】
0003167609.tif 000006
【図１０】
0003167609.tif 000007
【図１１】
0003167609.tif 000008
【図１２】
0003167609.tif 000009
【図２】
0003167609.tif 000010
【図３】
0003167609.tif 000011
【図４】
0003167609.tif 000012
【図５】
0003167609.tif 000013
【図６】
0003167609.tif 000014